(57)【要約】【課題】チャネルサーチに起因する、表示映像の乱れを少なくすることができるディジタル放送受信装置２０を提供する。【解決手段】本発明のディジタル放送受信装置２０は、複数の復調部２４を有し、チャネルサーチを行う場合に、少なくとも１つの復調部２４にチャネルサーチを行わせ、チャネルサーチが行われている間は、残りの復調部２４からのディジタル放送電波の復調信号を、解像度の最も低い映像をデコードする低解像度映像デコーダ２２にデコードさせる。【選択図】図２
2007060560.tif 000002
【特許請求の範囲】
【請求項１】
移動体に搭載されるディジタル放送受信装置であって、
ディジタル放送電波を復調すると共に、当該電波の受信品質を出力する複数の復調手段であって、同一または異なる周波数チャネルのディジタル放送電波をそれぞれ受信する複数の復調手段と、
前記複数の復調手段のいずれかによって復調された復調信号をデコードして、異なる解像度のディジタル放送映像を生成し、生成したディジタル放送映像を表示装置に表示する複数のディジタル放送用デコーダと、
前記複数の復調手段のいずれか１つからの復調結果を、前記複数のディジタル放送用デコーダのいずれかにデコードさせるデコーダ選択手段と、
前記複数の復調手段のそれぞれから出力される受信品質の中で、最も受信品質の良いものが、予め定められた受信品質未満となった場合に、最も悪い受信品質を出力している復調手段に、他の周波数チャネルをサーチさせると共に、前記デコーダ選択手段に指示して、残りの復調手段からの復調信号を最も解像度の低いディジタル放送映像をデコードするディジタル放送用デコーダにデコードさせるチャネルサーチ指示手段と
を備えることを特徴とするディジタル放送受信装置。
【請求項２】
移動体に搭載されるディジタル放送受信装置であって、
ディジタル放送電波を復調すると共に、当該電波の受信品質を出力する２つの復調手段であって、同一または異なる周波数チャネルのディジタル放送電波をそれぞれ受信する２つの復調手段と、
前記２つの復調手段のいずれかによって復調された復調信号をデコードして、高解像度ディジタル放送映像を生成し、生成した高解像度ディジタル放送映像を表示装置に表示する高解像度映像デコーダと、
前記２つの復調手段のいずれかによって復調された復調信号をデコードして、前記高解像度映像デコーダによって生成される高解像度ディジタル放送映像よりも解像度の低い低解像度ディジタル放送映像を生成し、生成した低解像度ディジタル放送映像を表示装置に表示する低解像度映像デコーダと、
前記複数の復調手段のいずれか１つからの復調結果を、前記高解像度映像デコーダまたは前記低解像度映像デコーダにデコードさせるデコーダ選択手段と、
前記複数の復調手段のそれぞれから出力される受信品質の中で、最も受信品質の良いものが、予め定められた受信品質未満となった場合に、最も悪い受信品質を出力している復調手段に、他の周波数チャネルをサーチさせると共に、前記デコーダ選択手段に指示して、残りの復調手段からの復調信号を前記低解像度映像デコーダにデコードさせるチャネルサーチ指示手段と
を備えることを特徴とするディジタル放送受信装置。
【請求項３】
請求項１または２に記載のディジタル放送受信装置であって、
ディジタル放送を中継する中継局のそれぞれがディジタル放送の送信に使用している少なくとも１つの周波数チャネルの情報を、それぞれの前記中継局の位置情報に対応付けて格納する中継局情報格納手段と、
外部から前記移動体の位置を示す情報を取得し、前記中継局情報格納手段を参照して、前記移動体の位置から予め定められた範囲内に位置する中継局が使用する周波数チャネルを抽出するチャネル抽出手段と
をさらに有し、
前記復調手段は、
前記チャネルサーチ指示手段から周波数チャネルのサーチを指示された場合に、前記チャネル抽出手段によって抽出された周波数チャネルを優先的にサーチすること
を特徴とするディジタル放送受信装置。
【請求項４】
請求項１から３のいずれか一項に記載のディジタル放送受信装置であって、
前記復調手段は、それぞれ異なるアンテナを介してディジタル放送電波を受信すること
を特徴とするディジタル放送受信装置。
【請求項５】
移動体に搭載されるディジタル放送受信装置であって、
ディジタル放送電波を復調すると共に、当該電波の受信品質を出力する復調手段と、
前記復調手段によって復調された信号をデコードすることによりディジタル放送映像を生成し、生成したディジタル放送映像を表示装置に表示するディジタル放送用デコーダと、
ディジタル放送を中継する中継局のそれぞれがディジタル放送の送信に使用している少なくとも１つの周波数チャネルの情報を、それぞれの前記中継局の位置情報に対応付けて格納する中継局情報格納手段と、
外部から前記移動体の位置を示す情報を取得し、前記中継局情報格納手段を参照して、前記移動体の位置から予め定められた範囲内に位置する中継局が使用する周波数チャネルを抽出するチャネル抽出手段と、
前記復調手段によって出力されたディジタル放送電波の受信品質が、予め定められた受信品質未満となった場合に、前記復調手段に、他の周波数チャネルをサーチさせるチャネルサーチ指示手段と
を備え、
前記復調手段は、
前記チャネルサーチ指示手段から周波数チャネルのサーチを指示された場合に、前記チャネル抽出手段によって抽出された周波数チャネルを優先的にサーチすること
を特徴とするディジタル放送受信装置。
【発明の詳細な説明】
【技術分野】
【０００１】
本発明は、車両等の移動体に搭載されるディジタル放送受信装置に関する。
【背景技術】
【０００２】
近年、開始された地上波ディジタル放送では、各放送局に割り当てられた伝送帯域を多数のセグメントに分割し、１つ以上のセグメントで構成した階層を複数同時に伝送する階層伝送が行われる。階層伝送では、階層を構成するセグメント数が多いほど、高解像度の映像を伝送できるが、車両等において移動中にデータ誤り無く受信するのは困難になる。そこで、例えば、日本が準拠しているＩＳＤＢ−Ｔ方式では、１チャネルのディジタル放送用帯域を１３個のセグメントに分割し、その中の１２個のセグメントを使って固定受信装置向けに高解像度の映像を提供し、残りの１個のセグメントを使って伝送誤りに対する耐性の高い伝送方式による低解像度の映像を提供する。
【０００３】
これにより、家庭等に設置される固定受信装置によって、高解像度のディジタル放送を受信でき、携帯電話やＰＤＡ等の移動受信装置によって、低解像度ではあるが、移動中でも安定したディジタル放送の受信が可能となる。
【０００４】
しかし、車両に搭載されるナビゲーション装置等のように、移動体に搭載され、携帯電話やＰＤＡ等よりも大きな画面を有する移動受信装置においては、移動中であっても可能な限り、１２個のセグメントを用いた高解像度の映像を表示したいという要望がある。
【０００５】
これを実現可能とするために、例えば、特許文献１では、車両に搭載するディジタル放送受信装置であって、ディジタル放送用信号の受信率を地図上の各地点において予め測定したデータベースを有し、ナビゲーション機能による目的地までの移動経路の誘導中に、当該移動経路上におけるディジタル放送用信号の受信率をデータベースから取得してユーザに提示することにより、１２個のセグメントを用いる高解像度の映像および１個のセグメントを用いる、低解像度ではあるが移動中の受信に優れた映像のいずれを受信すべきかの判断材料をユーザに提供する。
【０００６】
【特許文献１】特開２００３−２７４３０３号公報
【発明の開示】
【発明が解決しようとする課題】
【０００７】
ところで、異なる場所に設置された複数のアンテナのそれぞれに接続され、それぞれ異なる周波数チャネルの電波を復調可能な複数の復調手段を有し、空間ダイバーシティ受信および周波数ダイバーシティ受信が可能な受信装置が知られている。このような受信装置は、例えば、電波の受信品質が予め定められた品質よりも良い場合、複数の復調手段に同一の周波数チャネルの電波を復調させ、より良い受信状態の復調手段からの復調信号をデコードする。これにより、受信装置は、フェージングやシャドウイングによって一つの復調手段の受信品質が悪化しても、他の復調手段からの受信品質が良ければ、より品質の良い復調信号をデコードすることができる。従って、受信装置は、フェージングやシャドウイングによる復調信号の変動を抑えることができ、受信品質を改善することができる。
【０００８】
また、電波の受信品質が予め定めら品質よりも悪い場合、受信装置は、いずれかの復調手段に他の周波数チャネルをサーチさせ、より受信品質の良い他の周波数チャネルを見つけさせることができ、この場合も、他の周波数チャネルで送信されている電波の受信品質が良い場合には、受信装置は、受信品質を改善することができる。
【０００９】
また、ディジタル放送を中継する中継局は、同一の番組を放送する場合であっても、隣接する中継局と異なる周波数チャネルを用いる場合がある。そのため、使用する周波数チャネルが異なる中継局間を移動する場合、移動体に搭載されたディジタル放送受信装置は、受信する周波数チャネルを切り替える必要がある。
【００１０】
この場合、ディジタル放送受信装置が空間ダイバーシティ受信機能および周波数ダイバーシティ受信機能を有するとすれば、当該ディジタル放送受信装置は、中継局からのディジタル放送電波が十分な受信品質である場合には、同一の周波数チャネルにおいて、空間ダイバーシティ受信を行い、より良い受信品質の復調手段からの復調信号をデコードする場合がある。一方、現在受信中の中継局から離れていき、当該中継局からのディジタル放送電波の受信品質が予め定められた品質よりも悪くなった場合、ディジタル放送受信装置は、空間ダイバーシティ受信を解除して、いずれかの復調手段を用いて、他の周波数チャネルのサーチを開始することが考えられる。
【００１１】
しかし、空間ダイバーシティ受信により、復調信号の変動が抑えられていたにもかかわらず、ディジタル放送電波の受信品質が予め定められた品質よりも悪くなった場合に、空間ダイバーシティ受信が解除されてしまう。そのため、フェージングやシャドウイングの影響を抑える空間ダイバーシティ受信の効果が無くなり、ディジタル放送受信装置は、周波数チャネルのサーチ中に、ディジタル放送映像を適切に表示することができなくなる場合があった。
【００１２】
本発明は上記事情を鑑みてなされたものであり、本発明の目的は、チャネルサーチに起因する、表示映像の乱れを少なくすることができるディジタル放送受信装置を提供することにある。
【課題を解決するための手段】
【００１３】
上記課題を解決するために、本発明のディジタル放送受信装置は、複数の復調手段を有し、チャネルサーチを行う場合に、少なくとも１つの復調手段にチャネルサーチを行わせ、チャネルサーチが行われている間は、残りの復調手段からのディジタル放送電波の復調信号を、解像度の最も低い映像をデコードするデコーダにデコードさせる。
【００１４】
例えば、本発明は、移動体に搭載されるディジタル放送受信装置であって、ディジタル放送電波を復調すると共に、当該電波の受信品質を出力する複数の復調手段であって、同一または異なる周波数チャネルのディジタル放送電波をそれぞれ受信する複数の復調手段と、複数の復調手段のいずれかによって復調された復調信号をデコードして、異なる解像度のディジタル放送映像を生成し、生成したディジタル放送映像を表示装置に表示する複数のディジタル放送用デコーダと、複数の復調手段のいずれか１つからの復調結果を、複数のディジタル放送用デコーダのいずれかにデコードさせるデコーダ選択手段と、複数の復調手段のそれぞれから出力される受信品質の中で、最も受信品質の良いものが、予め定められた受信品質未満となった場合に、最も悪い受信品質を出力している復調手段に、他の周波数チャネルをサーチさせると共に、デコーダ選択手段に指示して、残りの復調手段からの復調信号を最も解像度の低いディジタル放送映像をデコードするディジタル放送用デコーダにデコードさせるチャネルサーチ指示手段とを備えることを特徴とするディジタル放送受信装置を提供する。
【発明の効果】
【００１５】
本発明のディジタル放送受信装置によれば、チャネルサーチに起因する、表示映像の乱れを少なくすることができる。
【発明を実施するための最良の形態】
【００１６】
以下に、本発明の実施の形態について、図面を参照しながら説明する。
【００１７】
図１は、本発明の一実施形態に係るディジタル放送システム１０の構成を示す。ディジタル放送システム１０は、中継局１３、ディジタル放送用アンテナ１４、ディジタル放送受信装置２０、ナビゲーション装置３０、表示装置１６、および音響再生装置１７を備える。中継局１３は、放送局において作成された固定受信装置向けの高解像度映像および移動受信装置向けの低解像度映像を含むディジタル放送信号を有線ケーブル等を介して受け取り、受け取ったディジタル放送信号を、地上ディジタル放送において規定されている変調方式によって変調し、電波を用いて放送する。
【００１８】
車両１５は、ＧＰＳアンテナ１２、ディジタル放送用アンテナ１４、表示装置１６、音響再生装置１７、センサ１８、ディジタル放送受信装置２０、およびナビゲーション装置３０を搭載する。
【００１９】
ディジタル放送受信装置２０は、ディジタル放送用アンテナ１４を介して中継局１３からディジタル放送信号を受信し、受信したディジタル放送信号の受信品質に応じて、ディジタル放送信号の中から固定受信装置向けの高解像度映像または移動受信装置向けの低解像度映像を抽出すると共に、これらの映像と共に再生されるべき音響データを抽出し、抽出した映像および音響データをナビゲーション装置３０へ送る。
【００２０】
ナビゲーション装置３０は、地図データを有しており、ＧＰＳ衛星等の測地衛星１１からのＧＰＳ信号、およびセンサ１８からの車両１５の速度や車両１５の進行方位等に基づいて、車両１５の現在位置を当該地図上に推測する。そして、ナビゲーション装置３０は、推測した車両１５の現在位置を当該現在位置付近の地図データと共に表示装置１６に表示する。
【００２１】
また、ナビゲーション装置３０は、推測した車両１５の現在位置をディジタル放送受信装置２０へ送る。このとき、ナビゲーション装置３０は、車両１５の緯度および経度を、推測した車両１５の現在位置としてディジタル放送受信装置２０へ送る。他の例として、ナビゲーション装置３０は、地図データ上の座標を、推測した車両１５の現在位置としてディジタル放送受信装置２０へ送ってもよい。
【００２２】
また、ナビゲーション装置３０は、ディジタル放送受信装置２０が抽出した固定受信装置向けの高解像度映像または移動受信装置向けの低解像度映像を受け取って表示装置１６に表示すると共に、対応する音声を音響再生装置１７に再生させる。
【００２３】
なお、本例において、ディジタル放送受信装置２０、ナビゲーション装置３０、表示装置１６、および音響再生装置１７は、それぞれが別体として示されているが、全て１つの装置として一体に実現されていてもよく、いずれか２つ以上が一体の装置として実現されていてもよい。
【００２４】
図２は、ディジタル放送受信装置２０の詳細な構成の一例を示す。ディジタル放送受信装置２０は、高解像度映像デコーダ２１、低解像度映像デコーダ２２、切替部２３、複数の復調部２４、チャネルサーチ指示部２５、チャネル抽出部２６、および中継局情報格納部２７を備える。
【００２５】
中継局情報格納部２７は、それぞれの中継局１３がディジタル放送の送信に使用している少なくとも１つの周波数チャネルの情報を、それぞれの中継局１３の位置情報に対応付けて予め格納している。
【００２６】
チャネル抽出部２６は、チャネルサーチ指示部２５から指示された場合に、ナビゲーション装置３０から車両１５の位置を示す情報を取得し、中継局情報格納部２７を参照して、車両１５の現在位置から予め定められた範囲（本例では車両１５の現在位置から半径５０ｋｍの範囲）内に存在する中継局１３を抽出する。そして、チャネル抽出部２６は、抽出した中継局１３が使用する周波数チャネルを中継局情報格納部２７から取得し、取得した周波数チャネルの情報をチャネルサーチ指示部２５へ送る。
【００２７】
復調部２４ａは、ディジタル放送用アンテナ１４ａを介して中継局１３から受信したディジタル放送信号を、例えばＯＦＤＭ方式に基づいて復調し、復調した信号をＦＦＴ変換することにより１３個のセグメントを抽出して切替部２３へ供給する。また、復調部２４ａは、ディジタル放送用アンテナ１４ａを介して受信したディジタル放送信号の受信品質を示す信号を生成して切替部２３およびチャネルサーチ指示部２５へ供給する。
【００２８】
復調部２４ｂも復調部２４ａと同様に、ディジタル放送用アンテナ１４ｂを介して中継局１３から受信したディジタル放送信号を、例えばＯＦＤＭ方式に基づいて復調し、復調した信号をＦＦＴ変換することにより１３個のセグメントを抽出して切替部２３へ供給する。また、復調部２４ｂは、ディジタル放送用アンテナ１４ｂを介して受信したディジタル放送信号の受信品質を示す信号を生成して切替部２３およびチャネルサーチ指示部２５へ供給する。
【００２９】
ここで、本例において、受信品質を示す信号とは、受信すべきディジタル放送電波の受信電界強度である。また、他の例として、復調部２４ａおよび復調部２４ｂは、受信品質を示す信号として、受信すべきディジタル放送信号における搬送波の受信レベルに対するノイズレベルであるＣＮ比（Ｃａｒｒｉｅｒ  ｔｏ  Ｎｏｉｓｅ  ｒａｔｉｏ）や、受信データのコンスタレーションに基づいて、予め既知のパイロット信号の受信座標から算出された分散値であるコンスタレーションエラー量等を生成してもよい。
【００３０】
切替部２３は、復調部２４ａおよび復調部２４ｂのうち、高い受信電界強度を示す情報を出力している復調部２４の復調出力を、当該受信電界強度の値に応じて、高解像度映像デコーダ２１または低解像度映像デコーダ２２へ供給する。本例において、切替部２３は、受信電界強度が予め定められた第１の閾値（本例では−８０ｄＢｍ）以上の場合に、復調部２４からの復調出力を高解像度映像デコーダ２１にデコードさせ、第１の閾値未満の場合に、復調部２４からの復調出力を低解像度映像デコーダ２２にデコードさせる。
【００３１】
また、切替部２３は、チャネルサーチ指示部２５から指示された場合、指示された復調部２４からの復調出力を、低解像度映像デコーダ２２にデコードさせる。
【００３２】
高解像度映像デコーダ２１は、復調部２４ａまたは復調部２４ｂが抽出した１３個のセグメントのうち、固定受信向けディジタル放送映像が含まれる１２個のセグメントをデコードして固定受信装置向けの高解像度映像およびそれに付随する音響データを抽出し、抽出した高解像度映像および音響データをナビゲーション装置３０へ送る。
【００３３】
低解像度映像デコーダ２２は、復調部２４ａまたは復調部２４ｂが抽出した１３個のセグメントのうち、移動受信向けディジタル放送映像が含まれる１個のセグメントをデコードして移動受信装置向けの低解像度映像およびそれに付随する音響データを抽出し、抽出した低解像度映像および音響データをナビゲーション装置３０へ送る。
【００３４】
チャネルサーチ指示部２５は、復調部２４ａおよび復調部２４ｂからのディジタル放送電波の受信電界強度に応じて、復調部２４ａおよび復調部２４ｂが受信する周波数チャネルを制御する。例えば、復調部２４ａおよび復調部２４ｂから出力される受信電界強度のうち、高いほうの受信電界強度が、予め定められた第２の閾値（本例では−７０ｄＢｍ）以上の場合、低いほうの受信電界強度を出力している復調部２４の周波数チャネルを、高い受信電界強度を出力している復調部２４の周波数チャネルに合わせることにより、復調部２４ａおよび復調部２４ｂに空間ダイバーシティ受信を行わせる。
【００３５】
また、例えば、復調部２４ａおよび復調部２４ｂからの受信電界強度のうち、高いほうの受信電界強度が、第２の閾値未満の場合、チャネルサーチ指示部２５は、チャネル抽出部２６に問い合わせて、サーチすべき他の周波数チャネルを取得する。そして、チャネルサーチ指示部２５は、高い受信電界強度を出力している復調部２４には、現在の周波数チャネルでのディジタル放送の受信を継続させると共に、低い受信電界強度を出力している復調部２４には、チャネル抽出部２６から取得した周波数チャネルについてチャネルサーチを実行させる。このように、チャネルサーチ指示部２５は、受信電界強度が低い場合に、復調部２４ａおよび復調部２４ｂに、異なる周波数チャネルを復調させる周波数ダイバーシティ受信を行わせる。
【００３６】
このとき、チャネルサーチ指示部２５は、切替部２３に指示して、チャネルサーチを行っていない復調部２４の復調出力を、低解像度映像デコーダ２２にデコードさせる。
【００３７】
チャネルサーチ指示部２５は、サーチ対象のそれぞれの周波数チャネルについて、チャネルサーチを行っている復調部２４が測定した受信電界強度を受け取る。そして、チャネルサーチ指示部２５は、チャネルサーチによって測定された受信電界強度の中で、最も受信電界強度が高いものが第２の閾値以上の場合に、チャネルサーチ指示部２５は、その周波数チャネルを復調するよう復調部２４ａおよび復調部２４ｂに指示すると共に、切替部２３に指示して、復調部２４ａおよび復調部２４ｂのうち、高い受信電界強度を出力している復調部２４の復調出力を、当該受信電界強度の値に応じて、高解像度映像デコーダ２１または低解像度映像デコーダ２２へ供給させる。
【００３８】
ここで、チャネルサーチとは、サーチ対象の周波数チャネルのそれぞれに受信周波数を合わせて、当該周波数チャネルにおいて送信されているディジタル放送電波の受信電界強度を測定すると共に、当該ディジタル放送電波によって送信されている情報を復調して、その中継局１３が送信しているチャネル構成情報やその周波数情報等を含むＮＩＴ（Ｎｅｔｗｏｒｋ  Ｉｎｆｏｒｍａｔｉｏｎ  Ｔａｂｌｅ）を取得することである。そして、受信する中継局１３を切り替える場合、ディジタル放送受信装置２０は、対応するＮＩＴに基づいて、切り替え先の中継局１３が使用している全ての周波数チャネルの受信電界強度を測定し、ディジタル放送電波が送信されている周波数チャネルを検出し、検出した周波数チャネルを、選択なチャネルとしてディジタル放送受信装置２０のユーザに通知する。
【００３９】
また、本例において、切替部２３およびチャネルサーチ指示部２５は、それぞれ、復調部２４ａおよび復調部２４ｂからの受信電界強度の出力値を平均化してから第１または第２の閾値と比較する。この場合、切替部２３が受信電界強度を平均化する際に用いる時定数は、チャネルサーチ指示部２５が用いる時定数よりも小さい。そのため、チャネルサーチ指示部２５において、受信電界強度が−７０ｄＢｍ以上であると判定されたとしても、切替部２３において、受信電界強度が−８０ｄＢｍ未満であると判定される場合がある。
【００４０】
図３は、中継局情報格納部２７に格納されるデータの構造の一例を示す。中継局情報格納部２７は、中継局１３の位置を示す情報である位置情報２７１および中継局１３がディジタル放送に使用している周波数チャネル２７２を、それぞれの中継局１３を識別する中継局ＩＤ２７０に対応付けて予め格納している。
【００４１】
中継局情報格納部２７に格納されている周波数チャネルは、チャネルサーチにおいて、その周波数チャネルで送信されているディジタル放送電波の受信電界強度の測定に用いられるので、ディジタル放送用の電波が常に送信されている周波数チャネルであることが好ましい。
【００４２】
本例において、位置情報２７１に格納される情報は、対応する中継局１３の緯度および経度を示す値である。また、他の例として、位置情報２７１には、ナビゲーション装置３０が保持している地図データ上の座標が格納されてもよい。
【００４３】
なお、中継局情報格納部２７に格納される情報は、例えばディジタル放送受信装置２０の出荷時等に格納されるが、出荷後に、中継局１３が新たに設置された場合や、中継局１３の送信チャネルが変更された場合等に対応できるように、ディジタル放送によるデータ通信や可搬性の記録媒体、携帯電話等によって、更新可能となるように構成されることが好ましい。
【００４４】
図４は、受信する中継局１３を切り替える場合の処理を説明するための概念図である。図４（ａ）は、中継局１３とその中継局１３によって送信されるディジタル放送電波が、ディジタル放送を復調可能な強度で届くエリア４０との位置関係を示す。図４（ｂ）は、それぞれの中継局１３から送信されるディジタル放送電波の、中継局１３からの距離と電界強度との関係を示す。図４（ｃ）は、図４（ｂ）の領域４３の拡大図である。
【００４５】
例えば、図４（ａ）に示すように、中継局Ａおよび中継局Ｂによってディジタル放送が受信可能なエリア４０ａおよびエリア４０ｂが分布し、ディジタル放送受信装置２０を搭載した車両１５が中継局Ａの近傍から中継局Ｂの近傍へ移動する場合を考える。
【００４６】
図４（ｂ）に示すように、車両１５に搭載されたディジタル放送受信装置２０が受信する電界強度は、車両１５が中継局Ａから離れるに従って、分布４１に示すように低下する。また、中継局Ｂにある程度近づくと、ディジタル放送受信装置２０は、中継局Ｂからのディジタル放送電波に基づいてディジタル放送を受信することができるようになる。そして、ディジタル放送受信装置２０が受信する中継局Ｂからの電界強度は、中継局Ｂへ近づくに従って、分布４２に示すように強くなる。
【００４７】
本例において、ディジタル放送受信装置２０は、現在ディジタル放送を受信している中継局１３（図４では中継局Ａ）からの受信電界強度を常に監視しており、当該受信電界強度に基づいて、他の中継局１３（図４の例では中継局Ｂ）からの受信電界強度の測定を開始する。そして、他の中継局１３からの受信電界強度が、現在ディジタル放送を受信している中継局１３からの受信電界強度よりも高い場合に、ディジタル放送受信装置２０は、受信する中継局１３を他の中継局１３へ切り替える。
【００４８】
以下に、受信する中継局１３を切り替える動作について、図４（ｃ）を参照してさらに詳しく説明する。受信電界強度Ｅ２は、ディジタル放送電波における１２個のセグメントを用いる高解像度映像信号を復調可能な最低の受信電界強度（本例における第１の閾値）を示す。受信電界強度Ｅ３は、ディジタル放送電波における１個のセグメントを用いる低解像度映像信号を復調可能な最低の受信電界強度を示す。図４（ｃ）中の区間（１）は、中継局Ａの位置から受信電界強度Ｅ１となる位置までの区間を示し、区間（２）は、受信電界強度Ｅ１となる位置から受信電界強度Ｅ３となる位置までの区間を示す。
【００４９】
ディジタル放送受信装置２０は、区間（１）の間は、図２に示した復調部２４ａおよび復調部２４ｂの両方に、中継局Ａがディジタル放送電波を送信している周波数チャネルを受信させることにより、空間ダイバーシティ受信を行わせる。これにより、切替部２３は、フェージングやシャドウイング等により、復調部２４ａおよび復調部２４ｂのいずれかの受信電界強度が瞬間的に低下した場合であっても、受信電界強度の高いほうの復調部２４の復調出力を高解像度映像デコーダ２１または低解像度映像デコーダ２２へ供給することができる。そのため、切替部２３は、移動中の受信電界強度の変動によって、高解像度映像デコーダ２１と低解像度映像デコーダ２２との切り替えが頻発することを抑えることができる。従って、ディジタル放送システム１０は、受信したディジタル放送をより見やすい形で表示装置１６に表示することができる。
【００５０】
区間（２）では、ディジタル放送受信装置２０は、復調部２４ａおよび復調部２４ｂのいずれか一方に、引き続き中継局Ａからの周波数チャネルを受信させ、他方に、他の中継局１３から送信されるディジタル放送電波の周波数チャネルをサーチさせる。このとき、切替部２３は、復調部２４ａおよび復調部２４ｂのいずれか一方からの復調信号を、低解像度映像デコーダ２２にデコードさせる。これにより、空間ダイバーシティが解除されも、高解像度映像デコーダ２１と低解像度映像デコーダ２２との切り替えが頻発することがなく、ディジタル放送システム１０は、受信したディジタル放送が見にくくなることを防止することができると共に、確実に受信したディジタル放送を表示することができる。
【００５１】
そして、区間（２）において、受信電界強度Ｅ１よりも高い受信電界強度Ｅ４のディジタル放送電波を、中継局Ｂから受信した場合、チャネルサーチ指示部２５は、復調部２４ａおよび復調部２４ｂに、中継局Ｂから送信されているディジタル放送電波の周波数チャネルを受信させる。
【００５２】
一方、区間（２）において、中継局Ｂからの受信電界強度が、受信電界強度Ｅ１よりも低い場合、チャネルサーチ指示部２５は、現在受信している中継局Ａからの受信電界強度と、サーチをして検出した中継局Ｂからの受信電界強度とを比較する。
【００５３】
そして、現在受信している中継局Ａからの受信電界強度が、サーチをして検出した中継局Ｂからの受信電界強度よりも高い場合、チャネルサーチ指示部２５は、中継局Ａからのディジタル放送電波を受信している復調部２４に、引き続き中継局Ａからのディジタル放送電波を受信させると共に、残りの復調部２４に、引き続きチャネルサーチを続行させる。
【００５４】
また、現在受信している中継局Ａからの受信電界強度が、サーチをして検出した中継局Ｂからの受信電界強度よりも低い場合、チャネルサーチ指示部２５は、中継局Ａからのディジタル放送電波を受信している復調部２４に、中継局Ｂからのディジタル放送電波を受信させると共に、残りの復調部２４に、引き続きチャネルサーチを続行させる。以上のようにして、ディジタル放送受信装置２０は、受信先の中継局１３を切り替える。
【００５５】
なお、ディジタル放送受信装置２０は、中継局Ａからの受信電界強度がＥ１を下回った場合であっても、ナビゲーション装置３０より取得した車両１５の現在位置から所定の範囲（例えば車両１５の現在位置から半径５ｋｍの範囲）内に中継局１３が存在する場合には、他の中継局１３の周波数チャネルをサーチしないようにしてもよい。これにより、車両１５が遮蔽物の陰に隠れた場合等に復調部２４によって行われる不要なチャネルサーチを防止することができ、ディジタル放送受信装置２０は、処理負荷の増加を抑えることができる。
【００５６】
図５は、中継局１３を切り替える場合のディジタル放送受信装置２０の動作の一例を示すフローチャートである。ディジタル放送受信装置２０が、例えば、中継局１３からＥ１以上の受信電界強度のディジタル放送電波を受信中であり、復調部２４ａおよび２４ｂが共にその中継局１３からのディジタル放送電波を復調している場合に、ディジタル放送受信装置２０は、本フローチャートに示す処理を開始する。
【００５７】
まず、チャネルサーチ指示部２５は、復調部２４ａおよび復調部２４ｂからの受信電界強度を示す情報を参照して、これらのうち、高いほうの受信電界強度がＥ１を未満となったか否かを判定する（Ｓ１００）。Ｅ１以上の場合（Ｓ１００：Ｎｏ）、チャネルサーチ指示部２５は、Ｅ１未満となるまでステップ１００を繰り返す。
【００５８】
復調部２４ａおよび復調部２４ｂのうち、より高い受信電界強度を出力するほうの受信電界強度がＥ１を未満となった場合（Ｓ１００：Ｙｅｓ）、チャネルサーチ指示部２５は、切替部２３に指示して、指定した復調部２４からの復調出力を、低解像度映像デコーダ２２にデコードさせる（Ｓ１０１）。ステップ１０１では、復調部２４ａおよび復調部２４ｂのいずれからの復調出力を低解像度映像デコーダ２２にデコードさせてもよいが、本例では、説明の便宜上、切替部２３は、復調部２４ａからの復調出力を低解像度映像デコーダ２２にデコードさせるものとする。
【００５９】
次に、チャネルサーチ指示部２５は、チャネル抽出部２６に指示して、サーチ対象の周波数チャネルを抽出させる（Ｓ１０２）。そして、チャネルサーチ指示部２５は、チャネル抽出部２６が抽出した周波数チャネルの中の１つを選択し、選択した周波数チャネルを受信するように復調部２４ｂに指示する（Ｓ１０３）。
【００６０】
次に、復調部２４ｂは、指示された周波数チャネルにおいて送信されているディジタル放送電波の受信電界強度を測定する（Ｓ１０４）。そして、チャネルサーチ指示部２５は、復調部２４ｂが測定した受信電界強度を、測定した周波数チャネルに対応付けて保持する。
【００６１】
次に、チャネルサーチ指示部２５は、サーチ対象の全ての周波数チャネルについて受信電界強度が測定されたか否かを判定する（Ｓ１０５）。サーチ対象の全ての周波数チャネルについて受信電界強度が測定されていない場合（Ｓ１０５：Ｎｏ）、チャネルサーチ指示部２５は、再びステップ１０３に示した処理を行う。一方、サーチ対象の全ての周波数チャネルについて受信電界強度が測定された場合（Ｓ１０５：Ｙｅｓ）、チャネルサーチ指示部２５は、測定された受信電界強度の中で最も高いものがＥ１以上か否かを判定する（Ｓ１０６）。
【００６２】
測定された受信電界強度の中で最も高いものがＥ１未満の場合（Ｓ１０６：Ｎｏ）、チャネルサーチ指示部２５は、再びステップ１０１に示す処理を行う。このとき、最も受信電界強度の高いものが、復調部２４ａが復調中のディジタル放送電波の受信電界強度よりも高い場合、チャネルサーチ指示部２５は、復調部２４ａに、この最も高い受信電界強度の周波数チャネルを復調するよう指示する。
【００６３】
測定された受信電界強度の中で最も高いものがＥ１以上の場合（Ｓ１０６：Ｙｅｓ）、チャネルサーチ指示部２５は、復調部２４ａおよび復調部２４ｂに、この最も高い受信電界強度の周波数チャネルを復調するよう指示する（Ｓ１０７）。そして、チャネルサーチ指示部２５は、切替部２３に指示して、復調部２４ａおよび復調部２４ｂからの受信電界強度に応じて、復調出力を高解像度映像デコーダ２１または低解像度映像デコーダ２２にデコードさせ（Ｓ１０８）、チャネルサーチ指示部２５は、再びステップ１００に示した処理を行う。
【００６４】
以上、本発明の実施の形態について説明した。
【００６５】
上記説明から明らかなように、本実施形態のディジタル放送受信装置２０によれば、チャネルサーチに起因する、表示映像の乱れを少なくすることができる。
【００６６】
なお、本発明は上記の実施形態に限定されるものではなく、その要旨の範囲内で数々の変形が可能である。
【００６７】
例えば、本実施形態において、ディジタル放送受信装置２０は、ナビゲーション装置３０から車両１５の位置情報を取得したが、他の例として、ナビゲーション装置３０に代えて、測地衛星１１からのＧＰＳ信号に基づいて自位置を推測するＧＰＳ受信機から、ディジタル放送受信装置２０が搭載された車両１５の位置を取得してもよい。
【００６８】
また、ナビゲーション装置３０は、出発地点および目的地点をユーザから入力された場合に、道路の座標や旅行時間等を含む道路データを用いて推奨経路を探索し、探索した推奨経路に従って車両１５の運転者を誘導する機能を有し、車両１５の現在位置を特定できない場合に、車両１５の推奨経路をディジタル放送受信装置２０へ送信してもよい。この場合、ディジタル放送受信装置２０は、ナビゲーション装置３０から受け取った推奨経路から所定の範囲内にある中継局１３の周波数チャネルについて優先的にチャネルサーチを行う。これにより、トンネルや市街地等を走行中に、ＧＰＳ信号を受信できずに車両１５の現在位置を特定できない場合であっても、ある程度数を絞って周波数チャネルをサーチすることができる。
【００６９】
また、本実施形態のディジタル放送受信装置２０では、車両１５等に搭載された表示装置１６および音響再生装置１７に映像および音声を表示するディジタル放送受信装置２０を例に説明したが、本発明はこれに限られず、ディジタル放送が閲覧可能なＰＤＡや携帯電話、ゴーグルやヘルメット等の形状のヘッドマウントディスプレイ等に適用してもよい。この場合、ディジタル放送受信装置２０の位置を特定するための情報としては、ＧＰＳ信号を用いてもよい。
【図面の簡単な説明】
【００７０】
【図１】本発明の一実施形態に係るディジタル放送システム１０の構成を示す。
【図２】ディジタル放送受信装置２０の詳細な構成の一例を示す。
【図３】中継局情報格納部２７に格納されるデータの構造の一例を示す。
【図４】受信する中継局１３を切り替える場合の処理を説明するための概念図である。
【図５】中継局１３を切り替える場合のディジタル放送受信装置２０の動作の一例を示すフローチャートである。
【符号の説明】
【００７１】
１０・・・ディジタル放送システム、１１・・・測地衛星、１２・・・ＧＰＳアンテナ、１３・・・中継局、１４・・・ディジタル放送用アンテナ、１５・・・車両、１６・・・表示装置、１７・・・音響再生装置、１８・・・センサ、２０・・・ディジタル放送受信装置、２１・・・高解像度映像デコーダ、２２・・・低解像度映像デコーダ、２３・・・切替部、２４・・・復調部、２５・・・チャネルサーチ指示部、２６・・・チャネル抽出部、２７・・・中継局情報格納部、２７０・・・中継局ＩＤ、２７１・・・位置情報、２７２・・・周波数チャネル、３０・・・ナビゲーション装置、４０・・・エリア、４１、４２・・・分布、４３・・・領域
【図１】
2007060560.tif 000003
【図２】
2007060560.tif 000004
【図３】
2007060560.tif 000005
【図４】
2007060560.tif 000006
【図５】
2007060560.tif 000007